(57)【要約】【課題】液体の計量や液体を少量ずつ使用するなどのために用いられる液体容器のキャップにおいて、キャップを容器本体に再装着した場合の液だれを防止する。【解決手段】容器本体２０の口部２１に着脱自在に装着されるキャップ１Ａが、容器本体２０の口部２１に螺合する外筒部２、外筒部２の内側にある有底筒状の内筒部３、内筒部３の開口端３ａと反対側の外筒部２の端部と内筒部３の筒状壁４との間を閉じる環状壁５、及び環状壁５の内面に突条に形成された環状シール部６を有する。このキャップ１Ａの内筒部３には、内筒部３の筒状壁４を部分的に屈曲した注出部９を形成し、内筒部３の筒状壁４と環状シール部６との間には、注出部９の基部領域に部分的に液溜部１０を形成する。【選択図】図１
2010260575.tif 000002
【特許請求の範囲】
【請求項１】
容器本体の口部に着脱自在に装着されるキャップであって、容器本体の口部に螺合する外筒部、外筒部の内側にある有底筒状の内筒部、外筒部の端部と内筒部の筒状壁との間を閉じる環状壁、及び環状壁の内面に突条に形成された環状シール部を有し、
内筒部に、該内筒部の筒状壁が部分的に屈曲した注出部が形成され、
内筒部の筒状壁と環状シール部との間の、注出部の基部領域に、部分的に液溜部が形成されているキャップ。
【請求項２】
前記注出部の横断面が略Ｖ字型又はＣ字型である請求項１記載のキャップ。
【請求項３】
有底筒状の内筒部の開口端側と底部側がそれぞれ外筒部から突出し、開口端側の内筒部の筒状壁の外形形状と、底部側の内筒部の筒状壁の外形形状とが略同一である請求項１又は２記載のキャップ。
【請求項４】
内筒部の筒状壁と環状シール部との間の、注出部の基部領域の環状壁が、内筒部の底部側に凹むことにより液溜部が形成されている請求項１〜３のいずれかに記載のキャップ。
【請求項５】
内筒部の筒状壁の外側で液溜壁が注出部の筒状壁と並設し、該液溜壁が内筒部の非注出部の筒状壁と連続することにより液溜部が形成されている請求項１〜３のいずれかに記載のキャップ。
【請求項６】
内筒部の非注出部の筒状壁と、該筒状壁に連続する液溜壁とを合わせた外形が円筒形状である請求項５記載のキャップ。
【請求項７】
液体を収容する容器本体と、容器本体の口部に着脱自在に取り付けられる請求項１〜６のいずれかに記載のキャップとを備えた液体容器。
【請求項８】
容器本体の口部に、注出口を備えた中栓が取り付けられている請求項７記載の液体容器。
【請求項９】
液体が、界面活性剤を含んだ洗剤又は漂白剤である請求項７又は８記載の液体容器。
【発明の詳細な説明】
【技術分野】
【０００１】
本発明は、液体洗剤、液体漂白剤等の液体を収容した容器本体に蓋として装着されるキャップであって、容器本体内の液体を計量し、あるいは取り分けて少量ずつ使用するために用いられるキャップに関する。
【背景技術】
【０００２】
液体洗剤、液体漂白剤等の液体を収容した容器本体に蓋として装着されると共に、容器本体内の液体を計量し、あるいは液体を取り分けて少量ずつ使用するなどのために用いられるキャップがある。このキャップの使用方法としては、まず、そのキャップへ容器本体から液体を注出し、キャップから例えば洗濯槽や洗い物の汚れ部位等へ液体を移し、そしてキャップを容器本体に再装着する。
【０００３】
キャップを容器本体に再装着すると、キャップの周壁に付着していた液体が容器本体の装着部をつたい、容器本体の外表面に液だれが生じる場合がある。
【０００４】
キャップの再装着による液だれを防止する方法としては、キャップを内筒部と外筒部とを有する二重構造として内筒部から液体を注出させると共に、外筒部を容器本体の口部と螺合させ、内筒部と外筒部の間には環状のシール筒片を設け、このシール筒片で内筒部から外筒部へつたう液を堰き止める方法がある（特許文献１）。
【先行技術文献】
【特許文献】
【０００５】
【特許文献１】特開平８−４８３４８号公報
【発明の概要】
【発明が解決しようとする課題】
【０００６】
しかしながら、環状のシール筒片を、液だれを防止するために十分な高さに成型することはキャップの設計上困難である。
【０００７】
また、キャップを傾けて液体を注出後、キャップを正立状態（内筒部の開口端が上向きの状態）に戻すと、内筒部に付着した液体は、内筒部とシール筒片との間に形成される環状の溝内に垂れて広がるので、キャップを容器本体に再装着した後、環状の溝内に広がった液体が容器本体内に戻らず、留まったままとなりやすい。特に、高粘度の液体は、容器本体へ戻りにくい。そのため、再度キャップへ容器本体から液体を注出し、キャップから洗濯槽や洗い物の汚れ部位等へ液体を注出すると、内筒部に新たに付着した液体によって、内筒部とシール筒片との間の溝から液体が溢れ、その状態でキャップを容器本体に再装着すると、液体が容器本体の表面を垂れるという問題があった。
【０００８】
そこで、本発明は液体の計量や液体を少量ずつ使用するなどのために用いられる液体容器のキャップにおいて、キャップを容器本体に再装着した場合の液だれを防止することを目的とする。
【課題を解決するための手段】
【０００９】
本発明は、内筒部に注出部を設けて、キャップから注出される液体が常に注出部を通るようにすると共に、注出部の基部に部分的に液溜部を形成すると、キャップから液体を注出した後、内筒部に付着した液体が内筒部の外側に垂れても、その液体は内筒部の外側で環状に広がることなく、注出部の基部に溜まること、このため、キャップを容器本体に再装着すると、液溜部に溜まっていた液体が速やかに容器本体内に戻り、これによりキャップの再装着に伴う容器本体での液だれを防止できることによる。
【００１０】
即ち、本発明は、容器本体の口部に着脱自在に装着されるキャップであって、容器本体の口部に螺合する外筒部、外筒部の内側にある有底筒状の内筒部、外筒部の端部と内筒部の筒状壁との間を閉じる環状壁、及び環状壁の内面に突条に形成された環状シール部を有し、
内筒部に、該内筒部の筒状壁が部分的に屈曲した注出部が形成され、
内筒部の筒状壁と環状シール部との間の、注出部の基部領域に、部分的に液溜部が形成されているキャップを提供する。
【００１１】
また、本発明は、液体を収容する容器本体と、容器本体の口部に着脱自在に取り付けられる上述のキャップとを備えた液体容器を提供する。
【発明の効果】
【００１２】
本発明によれば、内筒部に注出部が設けられているので、キャップの使用者は、キャップから液体を注出する際に、注出部から液体を注出するようになる。キャップから液体を注出した後、注出部に付着した液体は注出部の基部の液溜部へ垂れる。ここで、液溜部は、内筒部の外側全周でなく、注出部の基部領域に部分的に設けられている。このため、内筒部から垂れた液体は液溜部に集まり、キャップを容器本体に再装着すると、速やかに容器本体内に戻る。
【００１３】
したがって、再度、キャップから液体を注出した後にも、キャップの注出部に付着した液体は液溜部から溢れることなく液溜部に溜まり、液体が外筒部内壁に付着することが防止される。よって、キャップを容器本体へ再装着することにより生じる容器本体での液だれを防止することができる。
【図面の簡単な説明】
【００１４】
【図１】図１は本発明の一実施例のキャップ１Ａの斜視図（ａ）、（ｂ）及び断面図（ｃ）である。
【図２Ａ】図２Ａは実施例のキャップ１Ａを容器本体に装着させた本発明の液体容器１００Ａの斜視図（ａ）及び断面図（ｂ）である。
【図２Ｂ】図２Ｂはキャップを装着する容器本体の斜視図である。
【図３】図３は、本発明の異なる実施例の液体容器１００Ｂのキャップ付近の断面図である。
【図４】図４は、本発明の異なる実施例のキャップ１Ｂの斜視図（ａ）、（ｂ）及び断面図（ｃ）である。
【図５】図５は、本発明の異なる実施例のキャップ１Ｃの斜視図（ａ）、（ｂ）及び断面図（ｃ）である。
【図６】図６は、本発明の異なる実施例のキャップ１Ｄの斜視図（ａ）、（ｂ）及び断面図（ｃ）である。
【発明を実施するための形態】
【００１５】
以下、図面を参照しつつ本発明を具体的に説明する。なお、各図中、同一符号は同一又は同等の構成要素を表している。
【００１６】
図１（ａ）は、本発明の一実施例のキャップ１Ａを外側からみた斜視図であり、同図（ｂ）はそのキャップ１Ａを注出部側からみた斜視図である。また、図２Ａは、このキャップ１Ａを容器本体２０に装着した本発明の液体容器１００Ａの斜視図である。この液体容器１００Ａには、例えば、界面活性剤を含んだ液体洗剤、液体漂白剤等の種々の液体が収容される。
【００１７】
図示したように、このキャップ１Ａは、液体を収容する容器本体２０の口部２１に螺合する外筒部２、外筒部２の内側に二重筒形態で形成されている有底筒状の内筒部３、外筒部２の端部と内筒部３の筒状壁４との間を閉じる環状壁５、及び環状壁５の内面に突条に形成された環状シール部６を有する。この環状シール部６としては、環状リブからなるコンタクト７と、その内側でコンタクト７よりも突出した環状壁からなるインナーリング８が設けられている。
【００１８】
容器本体２０の口部２１には中栓３０が取り付けられており、キャップ１Ａの外筒部２を容器本体２０の口部２１に螺合させた場合に、中栓３０の周壁３１の縁部３１ａに上述のコンタクト７が押し当てられると共に、インナーリング８の壁面が中栓３０の周壁３１に当接し、これにより容器本体２０内が密封されるように各部を配置している。
【００１９】
なお、本発明の液体容器において、容器本体２０の口部２１に中栓３０を設けることは必ずしも必要ではないが、容器本体２０からキャップ１Ａへの液体の注出を容易にすると共に、その注出に伴う液だれを防止する点から、図２Ｂに示す容器本体２０のように、嘴状の注出部３２を有し、注出部３２の基部に液体の戻り穴３３を有する中栓３０を容器本体２０に設けることが好ましい。この場合、図２Ａに示すように、容器本体２０の口部とキャップ１Ａとを螺合させてもよく、また、図３に示す液体容器１００Ｂのように、容器本体２０の口部に中栓３０を螺合させ、その中栓３０とキャップ１Ａ’とを螺合させても良い。
【００２０】
本発明のキャップは、外筒部２と内筒部３を有する二重筒形態のキャップであって、内筒部３の筒状壁４が部分的に屈曲することにより形成された注出部９を有すると共に、内筒部３の筒状壁４と環状シール部６との間の、注出部９の基部領域に、部分的に液溜部１０を有することを特徴としている。より具体的には、実施例のキャップ１Ａにおいて内筒部３の筒状壁４はその一部が屈曲することにより横断面が略Ｖ字型となり、この部分がキャップ１Ａから液体を注出させる際に液体の流路として使用される注出部９となっている。また、内筒部３の筒状壁４と環状シール部６との間の、注出部９の基部領域で、筒状壁４の屈曲した付近において環状壁５が部分的に内筒部３の底部３ｂ側に凹むことにより液溜部１０が形成されている。
【００２１】
したがって、液体容器１００Ａの使用時に、まず、容器本体２０からキャップ１Ａの内筒部３内に液体を注出し、次いでキャップ１Ａを傾けて液体を注出部９から例えば洗濯槽や洗い物等へ注出し、キャップ１Ａを正立状態に戻すと、図１（ｃ）に示すように内筒部３の筒状壁４に付着した液体Ａは垂れて液溜部１０に溜まる。ここで、液溜部１０は、内筒部３の外側全周ではなく、注出部９の基部領域、具体的には液の注出方向である筒状壁４の屈曲した付近に部分的に形成されているから、液体Ａが環状壁５内に広がることはない。このため、この状態で図２Ａに示すようにキャップ１Ａを容器本体２０に装着すると、液溜部１０に溜まっていた液体Ａは中栓３０を経て容器本体２０内に速やかに戻る。したがって、この後、再度キャップ１Ａを使用しても、液溜部１０に溜まった液体Ａは排出されているから、内筒部３の筒状壁４に付着した液体Ａは液溜部１０に溜まり、液溜部１０から溢れ出ることが防止される。よって、内筒部３の筒状壁４に付着した液体Ａが垂れてキャップ１Ａ内に広がり、外筒部２の内側面にも付着し、その液体が、キャップ１Ａを容器本体２０に再装着したときに、容器本体２０の表面を垂れるという液だれを防止することができる。
【００２２】
また、このキャップ１Ａでは、内筒部３の開口端３ａ側と底部３ｂ側がそれぞれ外筒部２からその軸方向に突出し、開口端３ａ側の内筒部３の筒状壁４の外形形状と、底部３ｂ側の内筒部３の筒状壁４の外形形状とが略同一に形成されている。したがって、キャップ１Ａの使用者は、キャップ１Ａが容器本体２０に装着されているときから一見して注出部９の形成位置を認識することができ、キャップ１Ａを用いて液体を注出するときには、確実にキャップ１Ａの注出部９から液体が注出する。したがって、内筒部３の筒状壁４に付着する液体は、その注出部９に付着することとなり、より確実に、注出部９の基部領域の液溜部１０に液体を集めることが可能となる。
【００２３】
なお、内筒部３の底部３ｂ側の筒状壁４の外表面や、外筒部２の筒状壁の外表面には、図示したように、必要に応じてローレットを形成してもよい。また、所定量の液体を計量するために、内筒部３には適宜目盛を付してもよい。
【００２４】
図４は、本発明の他の実施例のキャップ１Ｂを外側からみた斜視図であり、同図（ｂ）はそのキャップ１Ｂを注出部側からみた斜視図である。
【００２５】
このキャップ１Ｂは、上述のキャップ１Ａに対し、注出部９の基部領域で環状壁５を内筒部３の底部３ｂ側に凹ませることに代えて、内筒部３の筒状壁４の外側で、注出部９の基部領域を囲むように液溜壁１１を注出部９の筒状壁４に並設し、かつその液溜壁１１を内筒部３の非注出部で筒状壁４と連続させることで、液溜壁１１と筒状壁４とで囲まれた領域を形成し、これを液溜部１０としたものである。
【００２６】
このように本発明において液溜部１０は、注出部９を形成する筒状壁４と並列する壁を設けることにより形成してもよい。この場合にも、キャップ１Ｂから液体を注出した後に、注出部９の筒状壁４に付着した液体が垂れると、その液体は筒状壁４の外側全周に広がることなく、注出部９の基部領域の液溜部１０に集まるので、キャップ１Ｂを容器本体２０に再装着することにより、液体を速やかに容器本体２０内に戻すことが可能となる。さらに、このキャップ１Ｂによれば、液溜部１０に溜められる液量を前述のキャップ１Ａよりも多くすることができる。
【００２７】
図５は、さらに異なる本発明のキャップ１Ｃを外側からみた斜視図であり、同図（ｂ）はそのキャップ１Ｃを注出部側からみた斜視図である。
【００２８】
このキャップ１Ｃは、図４のキャップ１Ｂにおいて、注出部９を形成する筒状壁４の横断面形状を略Ｃ字状とし、内筒部３の筒状壁４と、それに連続する液溜壁１１とをあわせた外形を円筒形状にしたものである。このように、注出部９外側で注出部９を囲むように設ける液溜壁１１は、種々の形状にすることができる。
【００２９】
図６のキャップ１Ｄは、図５のキャップ１Ｃにおいて、内筒部３の筒状壁４を、注出部９を形成する部分で嘴状に突出させたものである。この他、筒状壁４に形成される注出部９は種々の形状をとることができる。
【００３０】
上述の本発明のキャップ１Ａ〜１Ｄや本発明の液体容器に使用する容器本体は、例えば、合成樹脂を用いたインジェクション成型法により容易に工業的に製造することができる。
【産業上の利用可能性】
【００３１】
本発明のキャップは、界面活性剤を含んだ液体洗剤、液体漂白剤等の種々の液体を収容する液体容器のキャップであって、所定量の液体を容器本体から計り取るため、あるいは小分けにして少量ずつ洗濯物などの被塗布物に塗布するために使用するキャップとして有用である。したがって、かかるキャップを備えた本発明の液体容器は、界面活性剤を含んだ液体洗剤、液体漂白剤等の種々の液体容器として有用となる。
【符号の説明】
【００３２】
１Ａ、１Ａ’、１Ｂ、１Ｃ、１Ｄ    キャップ
２    外筒部
３    内筒部
３ａ  内筒部の開口端
３ｂ  内筒部の底部
４    内筒部の筒状壁
５    環状壁
６    環状シール部
７    コンタクト
８    インナーリング
９    注出部
１０    液溜部
１１    液溜壁
２０    容器本体
２１    口部
３０    中栓
３１    周壁
３１ａ  縁部
３２    注出部
３３    戻り穴
１００Ａ、１００Ｂ    液体容器
Ａ    液体
【図１】
2010260575.tif 000003
【図２Ａ】
2010260575.tif 000004
【図２Ｂ】
2010260575.tif 000005
【図３】
2010260575.tif 000006
【図４】
2010260575.tif 000007
【図５】
2010260575.tif 000008
【図６】
2010260575.tif 000009